(57)【要約】【課題】製作が容易、使用目的に合わせて細やかな仕様変更が可能、且つ従来品に比べて、安価且つ高級感のある連結組立式封緘具を提供する。【解決手段】衣服等の商品へ係止するための手段を有する係止部材と、前記係止部材に連結部を介して、商品表示札を懸吊するための手段を有する吊下げ部材を連結する。【選択図】図１
2009139737.tif 000002
【特許請求の範囲】
【請求項１】
衣服等の商品へ係止するための手段を有する係止部材と、前記係止部材に連結部を介して、商品表示札を懸吊するための手段を有する吊下げ部材を連結することを特徴とする連結組立式封緘具。
【請求項２】
前記係止部材と吊下げ部材とは複数種類が準備されており、前記係止部材と吊下げ部材のうち任意の１組を選び、連結することを特徴とする請求項１に記載の連結組立式封緘具。
【請求項３】
前記係止部材に合成樹脂製の安全ピン型係止部材又は鍵型係止部材を準備し、前記吊下げ部材に、糸状物の一端と途中部分に、合成樹脂製の挿通頭部を持つ雄部と、挿通孔を持つ雌部をそれぞれ設けた糸型吊下げ部材と、糸状物の一端に前記商品表示札を挟持するための挟持部材を設けた挟持部糸型吊下げ部材と、合成樹脂製のチェーンの一端に前記商品表示札を挟持するための挟持部材を設けた挟持部チェーン型吊下げ部材と、金属製のボールチェーンの一端に前記商品表示札を挟持するための挟持部材を設けた挟持部ボールチェーン型吊下げ部材を準備し、それぞれ任意の１つを選び、連結して構成することを特徴とする請求項１又は２に記載の連結組立式封緘具。
【請求項４】
前記係止部材と前記吊下げ部材の間に連結部を介して、ブランド名等を表示するための表示部材が連結されていることを特徴とする請求項１乃至３のいずれかに記載の連結組立式封緘具。
【請求項５】
前記係止部材に、糸状物の両端に連結部を設けた糸型係止部材と、合成樹脂製のチェーンの両端に連結部を設けたチェーン型係止部材と、金属製のボールチェーンの両端に連結部を設けたボールチェーン型係止部材を準備したことを特徴とする請求項４に記載の連結組立式封緘具。
【請求項６】
前記係止部材と表示部材の連結に、糸状物を通すための孔を持つ連結具を使用することを特徴とする請求項５に記載の連結組立式封緘具。
【発明の詳細な説明】
【技術分野】
【０００１】
商品に商品表示札を懸吊するための封緘具に関する。
【背景技術】
【０００２】
従来、衣服等の製造時に取付ける商品表示札は、合成樹脂製の安全ピンを衣服等に装着し、前記安全ピンに糸を結び付け、糸を商品表示札の孔に通して安全ピンに緊結することで、衣服等に懸吊されている。衣服出荷時に行う折れ針混入検査では、合成樹脂製の安全ピンを使用することで、金属製の安全ピンを使用していた時と比べ、検知器の誤反応が殆どなく高い検査効率を実現している。(例えば特許文献１参照。)
【０００３】
また、前記合成樹脂製安全ピンに糸を結び付ける煩雑な作業を省略するために、安全ピンとフィラメント部を合成樹脂で一体成型した一体型封緘具が提案されている。前記一体型封緘具のフィラメント部の一端は安全ピンと一体成型され、他方は自由端となっており、該自由端を商品表示札に開けられた孔に貫通させ、前記安全ピンに設けられた係止孔に嵌着することで、環状のワイヤが商品表示札を環の内側に含んだ状態で前記安全ピンに接合され、安全ピンを衣服等に装着することで商品表示札を懸吊している。
【０００４】
このように一体型封緘具は安全ピンとフィラメント部が一体成型であり、前記安全ピンの係止孔へフィラメント部を嵌着する際はワンタッチで可能なため、以前までの糸を結び付ける煩雑な作業が省略され、衣服等への商品表示札取付作業を迅速に進めることが可能となっている。さらに、安全ピン部分をフック状部材に変更することで、カバン等の安全ピンを通せない商品へも使用することを可能としている。（例えば特許文献２参照。）
【０００５】
上記のように一方では衣服等への商品表示札取付の効率を上げるための発明が行われているが、他方では商品表示用の封緘具が合成樹脂製であるため、高級感の演出が非常に難しく、高価な商品への表示札取付には使用を敬遠されてしまう問題がある。
【０００６】
そこで、高価な商品には図１３に示すように、ブランドロゴを表示するための表示型封緘具９を使用することで、高級感を演出する方法がとられている。前記表示型封緘具９は、合成樹脂で成形された表示部材上蓋９１と表示部材下皿９２を合わせて構成されたブランドロゴを表示した表示部材６と、該表示部材６に設けられた連結孔９４と、前記表示部材６を貫通するように載置された糸状物２４と、該糸状物２４の両端に固定された刺入部９５とから構成されている。
【０００７】
図１３(A)に示すように、表示部材６に糸状物２４を配置した後、表示部材上蓋９１と表示部材下皿９２を嵌合部９３で合わせて接着し、表示封緘具９が完成する。使用の際は、糸状物２４の一方に商品表示札２７を通した後、刺入部９５を連結孔９４に嵌合し、他方の糸状物２４を衣類のボタン穴等に通した後、前述と同様刺入部９５を連結孔９４に嵌合し、商品表示札を衣類に懸吊する。前記表示封緘具９はブランドロゴの表示や糸を使用することで高級感を演出している。
【特許文献１】特開平０９−１５４６０３
【特許文献２】特開２００１−２６１０５５
【発明の開示】
【発明が解決しようとする課題】
【０００８】
前記一体型封緘具により商品表示札等の取付作業の効率は上昇したが、フィラメント部を一体成型するため、製作工程が複雑となった。
【０００９】
具体的には、まず金型が安全ピン部分とフィラメント部を一体とする形状となるため複雑となる。また製作工程では、延伸側と固定型からなる金型に合成樹脂を注入成形したのち、金型の延伸側を延伸させることでフィラメント部を成形する金型内延伸を行う。そのため、延伸側の金型を移動させる装置等の複雑な機構を備えた金型内延伸装置が必要となり、設備が高価なものとなっている。
【００１０】
また、安全ピンや鍵状部材等の大きさや形状を変更する際、その度に金型を製作する必要があり、市場からの細かい要求に機動的に応えることは難しいのが現状である。
【００１１】
他方、前記一体型封緘具は、材質が合成樹脂のためフィラメント部が弾性を持ち常に略環形状を維持しており、高級感の演出の要求に応えられていないのが現状である。
【００１２】
また、前記ブランドロゴ入りの表示型封緘具９は、合成樹脂のフィラメント部の代わりに、糸を使用しブランドロゴを表示することで高級感を出しているが、前記表示型封緘具９の生産は、分割された表示部材の間に糸を通し、その後、接着剤により接着して組立てるため、この作業は手作業となり、生産効率が低いという問題を抱えている。例えば、組立作業の際、接着剤の量が多く、連結孔９４が詰まってしまい使用できない等の不良品が発生する等、生産効率の向上が課題となっている。
【００１３】
以上より本発明の目的は、製作が容易、使用目的に合わせて細やかな仕様変更が可能、且つ従来品に比べて、安価且つ高級感のある連結組立式封緘具を提供することにある。
【課題を解決するための手段】
【００１４】
上記の課題を解決するため、請求項１に記載の発明に係る連結組立式封緘具は、衣服等の商品へ係止するための手段を有する係止部材と、前記係止部材に連結部を介して、商品表示札を懸吊するための手段を有する吊下げ部材を連結することを特徴とする。
【００１５】
請求項２に記載の発明に係る連結組立式封緘具は、前記係止部材と吊下げ部材とは複数種類が準備されており、前記係止部材と吊下げ部材のうち任意の１組を選び、連結することを特徴とする。
【００１６】
請求項３に記載の発明に係る連結組立式封緘具は、前記係止部材に合成樹脂製の安全ピン型係止部材又は鍵型係止部材を準備し、前記吊下げ部材に、糸状物の一端と途中部分に、合成樹脂製の挿通頭部を持つ雄部と、挿通孔を持つ雌部をそれぞれ設けた糸型吊下げ部材２と、糸状物の一端に前記商品表示札を挟持するための挟持部材を設けた挟持部糸型吊下げ部材４と、合成樹脂製のチェーンの一端に前記商品表示札を挟持するための挟持部材を設けた挟持部チェーン型吊下げ部材５と、金属製のボールチェーンの一端に前記商品表示札を挟持するための挟持部材を設けた挟持部ボールチェーン型吊下げ部材を準備し、それぞれ任意の１つを選び、連結して構成することを特徴とする。
【００１７】
請求項４に記載の発明に係る連結組立式封緘具は、前記係止部材と前記吊下げ部材の間に連結部を介して、ブランド名等を表示するための表示部材６が連結されていることを特徴とする。
【００１８】
請求項５に記載の発明に係る連結組立式封緘具は、前記係止部材に、糸状物の両端に連結部を設けた糸型係止部材３１と、合成樹脂製のチェーンの両端に連結部を設けたチェーン型係止部材３２と、金属製のボールチェーンの両端に連結部を設けたボールチェーン型係止部材３３を準備したことを特徴とする。
【００１９】
請求項６に記載の発明に係る連結組立式封緘具は、前記係止部材と表示部材の連結に、糸状物を通すための孔を持つ連結具６２を使用することを特徴とする。
【発明の効果】
【００２０】
連結部を有した衣服等の商品へ係止するための複数種類の係止部材と、商品表示札を懸吊するための複数種類の吊下げ部材を自在に組み合わせることで、その時の要求に合わせた封緘具を低コスト且つ迅速に提供することが可能となる。
【００２１】
係止部材と吊下げ部材とを独立して供給することで、合成樹脂、糸、金属等異なる材質からなる封緘具を製作することが可能となり、衣服等の商品の高級感を演出しながら、さらに、ブランドロゴ等の表示を行う表示部材を組み合わせることで、商品イメージに合い、且つ独自性の極めて高い封緘具を組み合わせて製作することが可能となる。
【００２２】
また、係止部材と吊下げ部材を別に製作するため、従来のフィラメント部を成形するための延伸工程が不必要となるため、金型内延伸装置が不必要となり、製造装置のコストを低く抑えることが可能である。
【００２３】
さらに、従来の手作業による封緘具組立て時に発生する不良品等の無駄を省き、生産性を高めることが可能となっている。
【発明を実施するための最良の形態】
【００２４】
以下、本発明を図に示す実施形態を参照して具体的に説明する。
【００２５】
図１は本発明の連結組立式封緘具の実施例の１つを示している。衣服等に係止するための係止部材は合成樹脂製の安全ピン型係止部材１を用いており、該安全ピンは衣服等の商品に係止する際、大きな穴を開けないように先端を鋭くした第１刺入部１３を持っており、衣服等にボタン穴等の安全ピンを通す場所がないときでも、衣服等の商品へ負担をかけずに封緘具を懸吊することを可能としている。
【００２６】
糸型吊下げ部材２は、木綿製の糸である糸状物２４の一方に合成樹脂製の第２連結部２１、他方に合成樹脂製の第２刺入部２３を固定し、前記糸状物２４の途中に第２嵌入部２２を固定しており、第２刺入部２３を商品表示札２７の穴に通し、第２嵌入部２２に嵌入することで、商品表示札２７を糸型吊下げ部材２に懸吊することを可能としている。
【００２７】
また、前記安全ピン型係止部材１と糸型吊下げ部材２は互いに連結するための、第１連結部１１と第２連結部２１をそれぞれ有しており、図４はその連結手段の拡大図である。係止部材１の第１連結部１１は爪１７と連結孔１６を具備した雌部となっており、糸型吊下げ部材２の第２連結部２１は、頭部２５と首部２６を具備した雄部となっている。連結孔１６を貫通させた第２接続部２１をさらに押し込む事で、頭部２５により押し広げられた爪１７が首部２６に係り、安全ピン型係止部材１と糸型吊下げ部材２が容易に固定される。
【００２８】
図２及び図３は図１とは異なる組合せで、本発明の連結組立式封緘具を使用する場合を示している。
【００２９】
図２は吊下げ部材に挟持部糸型吊下げ部材４を使用した際の図であり、挟持部材４１により商品表示札２７を挟持するよう構成されている。
【００３０】
図３は係止部材に鍵型係止部材３を使用し、吊下げ部材に挟持部チェーン吊下げ型部材５を使用した際の図である。以上のように係止部材と吊下げ部材を自在に選び、組み合わせることで商品のイメージ等に合わせた封緘具を柔軟に提供することが可能となっている。
【００３１】
本発明の連結組立式封緘具は、衣服等に係止するための係止部材と商品表示札に係止するための吊下げ部材が独立しており、この２つの部材は連結部によって連結して構成することを特徴とする封緘具である。本発明封緘具は２つに独立しているため、対象となる商品によって組合せを自由に変更することが可能であり、より商品のイメージに近い封緘具を選ぶことが可能となっており、従来の封緘具変更に伴う金型製作等の多くの時間及び費用をかけることなく、市場の要求に機動的に応えることが可能となった。
【００３２】
また、従来の合成樹脂による一体成型であったフィラメント部に対して、本発明の連結組立式封緘具は糸や合成樹脂製又は金属製のチェーン、又はボールチェーン等を使用することで、高級感を演出している。同時に、合成樹脂製の一体型封緘具はフィラメント部が他の部分と比べ細くなっており、金型製作時には多くの時間がかかっていたが、本発明の封緘具は新たに金型を製作する際にも、フィラメント部がないため形状が従来に比べ単純になっている。
【実施例１】
【００３３】
図５は衣服等の商品へ係止するための糸型係止部材３１と、商品表示札等を係止するための糸型吊下げ部材２の間に、ブランドロゴ等を表示するための合成樹脂製の表示部材６を加えた組合せを示している。
【００３４】
図５(A)は本発明の封緘具を連結する前の状態を示している。糸型連結部材３１は木綿糸や化学繊維等の糸状物の両端に、合成樹脂製の第１連結部１１が各々固定されており、この糸状物２４を衣服等のボタン穴、カバン等の取手、靴の紐を通す穴等に通して、前記２つの第１連結部１１を、該第１連結部１１に対応するように表示部材６の一端に設けられた連結孔６１に嵌入し連結する。これによりブランドロゴ等を表示する表示部材６が衣服等の商品に懸吊される。続いて、糸型吊下げ部材２は糸状物２４の一方に合成樹脂製の第２連結部２１、他方に第２刺入部２３を固定され、糸状物２４の途中に第２嵌入部２２を固定されており、第２刺入部２３を商品表示札２７の穴に通した後、第２嵌入部２２に嵌入及び固定することで商品表示札２７は係止される。そして、第２連結部２１と対応する表示部材６の連結孔６１に、前記第２連結部２１を嵌入、固定して本発明の連結組立式封緘具は使用される。
【００３５】
図６は金属又は合成樹脂製のチェーン５２の両端に第１連結部１１を固定したチェーン型係止部材３２と、前記チェーン型吊下げ部材５を表示部材６と組み合わせた封緘具を示している。
【００３６】
図７は糸状物等を通すための孔と第１連結部６３を備えた連結具６２と、ボールチェーン３３を組み合わせたものを連結ボールチェーン型係止部材３３とし、この連結ボールチェーン型係止部材３３と表示部材６と挟持部チェーン型吊下げ部材５を組み合わせた封緘具である。
【００３７】
図８(A)は本発明の連結組立式封緘具の使用時の状態を示している。図８(B)は衣服のボタン穴に装着した様子、図８(C)はカバンに装着した様子を示している。木綿糸等の糸状物２４の両端に合成樹脂製の第１刺入部１８と第１嵌入部１９を固定し、連結具の穴と衣服等の商品のボタン穴等に糸状物２４を通した後、前記第１嵌入部１８に第１刺入部１９を嵌入させ固定する。次に連結具６２の第１連結部６３に対応する連結孔６１を持つ表示部材６に、前記連結具６２を嵌入し固定する。次に吊下げ部材に挟持部糸型吊下げ部材４を使用し、挟持部材４１に商品表示札２７を挟持、固定した後、他方の第２連結部２１を表示部材６に嵌入、固定することで、本発明の連結組合式封緘具は、商品表示札２７を衣服等の商品に懸吊する。図９には図８(A)を分解した状態を示している。
【００３８】
図１0は表示部材６と糸型吊下げ部材２との連結部を拡大した図である。前記表示部材６は合成樹脂製で、連結孔６１と爪６４を具備しており、糸型吊下げ部材２の第２連結部２１は、頭部２５と首部２６を具備した雄部となっている。前記連結孔６１を貫通させた第２接続部２１をさらに押し込む事で、頭部２５により押し広げられた爪１７が首部２６に係り、表示部材６と糸型吊下げ部材２がワンタッチで固定される。
【００３９】
本発明に使用する合成樹脂はポリアミド、ポリプロピレン、ポリエチレン、ポリエチレンテレフタレート、ポリアセタール等を目的に合わせて選択、使用することができる。
【００４０】
図１１は連結部の形状が異なる場合を示しており、糸状物２４に固定され頭部８１と首部８２からなる第２連結部８0を第１連結部７0の連結孔７２に嵌入し、さらに押し込むことで合成樹脂製の爪７１が、前記第２連結部８0の首部８２に係り、第１連結部７0及び第２連結部８0の連結がワンタッチで行える。
【００４１】
図１２は糸状物２４に固定された合成樹脂製の頭部８４と爪８５からなる第２連結部８３を第１連結部７３の連結孔７５に嵌入し、さらに押し込むことで第２連結部８３の爪８５が、第１連結部７３の連結片７４に押され縮みながら、連結片７４の部分を通過する。連結片７４の部分を通過した爪８５は弾性力により元の形に復元されることで、第１連結部７３の連結片７４に係り、第１連結部７３及び第２連結部８３の連結がワンタッチで行える。
【実施例２】
【００４２】
図１４は安全ピン型係止部材１の正面図、図１５（A）は図１４のA−A矢視拡大断面図、（B）はB−B矢視拡大断面図、（C）はC−C矢視断面図を示している。また、図１６（１）は図１４の左側面図、図１６（２）は右側面図、図１６（３）は底面図を示している。さらに図１７は安全ピン型係止部材１の使用時の状態を示しており、図１８は図１７のE−E矢視拡大断面図を示している。
【００４３】
衣服等の商品へ係止するための手段を有する係止部材である安全ピン型係止部材１は、略U字形の湾曲部１５の両端をそれぞれ延長して一方に外力を加えても変形量の少ない棒状部１３１と、その先端に前記湾曲部１５に対向させて形成した第１嵌入部１２と、他方の先端を針状に形成した第１刺入部１３と、前記第１刺入部１３を係止するための係止凹部１４と、吊下げ部材と連結するための第１連結部１１を備えており、合成樹脂で一体に成形され、全長Lは25ミリから４５ミリの大きさとなっている。
【００４４】
前記安全ピン型係止部材１の第１刺入部１３は、衣服等の係止すべき場所に通した後、係止凹部１４の溝に嵌入すると、前記安全ピン型係止部材１の持つ弾性力により、第１刺入部１３は係止凹部１４の溝に押し付けるように保持され、衣服等の商品に懸吊される。ここで商品等を扱う際に、商品表示札２７等を引っ掛けるなどして、封緘具に外力がかかることがあり、安全ピン型係止部材１の湾曲部１５を外側に引っ張る方向に外力がかかる。この時、本発明で使用する安全ピン型係止部材１は、湾曲部１５に対して棒状部１３１を太く形成しているため、外力による変形する場所はほとんどが湾曲部１５となり、第１刺入部１３は、係止凹部１４から引き抜かれる方向に張力が働く。ここで、係止凹部１４の長さL２を５ミリから２５ミリとすることで、前記張力により第１刺入部１３と湾曲部１５が外方向に撓んで、係止凹部１４から不意に抜けてしまうことを防止している。
【００４５】
前述のように係止凹部１４を長めに形成することで、安全ピン型係止部材１の商品等からの脱落を防止している。そのため、従来の合成樹脂製安全ピンのように、第１刺入部に係止鉤を設け、係止凹部に前記係止鉤を勘合するための係止片を設け、これらを嵌合する
構造を採用する必要がなくなり、第１刺入部を従来に比べ細く形成することが可能となった。
【００４６】
具体的には第１刺入部１３は直径１ミリ程度の円柱状部と、鋭い先端部とから構成されており、ボタン穴等の懸吊すべき場所がない場合であっても、衣服等に大きな穴を開けずに第１刺入部を衣服等に貫通させることで安全ピン型係止部材を懸吊することが可能となっている。また、従来の係止鉤がないため、安全ピン型係止部材１を貫通させた衣服から取り外す際、衣服等に係止鉤が引掛かり、衣服を傷めることがなくなった。
【００４７】
図19（A）は安全ピン型係止部材１と糸型吊下げ部材２を連結して構成した本発明の１例である連結組立式封緘具を衣服等の商品へ懸吊した状態を示したものであり、図１９（B）は、特に織りネーム２８に封緘具を懸吊した状態の拡大図を示したものである。
前記織りネーム２８の長手方向に対して垂直な方向の長さは、商品により変化に富んだものである。これに対して、本発明で使用している安全ピン型係止部材１は、係止凹部１４と湾曲部１５の間に他の部材が存在しないように成形し、織りネーム２８が通される空間の長さL1を、１５ミリから３５ミリとなるように成形する事で、従来の合成樹脂製安全ピンに比べ長さL１を長くすることを可能としている。そのため、幅の異なる多種の織りネーム２８に本発明で使用している安全ピン型係止部材は使用することが可能となっている。
【図面の簡単な説明】
【００４８】
【図１】本発明の連結組立式封緘具の１例を示した図である。
【図２】本発明の連結組立式封緘具の１例を示した概略図である。
【図３】本発明の連結組立式封緘具の１例を示した概略図である。
【図４】本発明の連結組立式封緘具の連結部の構造を示した拡大図である。
【図５】本発明の連結組立式封緘具の表示部材を使用した１例を示した概略図である。
【図６】本発明の連結組立式封緘具の表示部材を使用した組合せ例を示した概略図である。
【図７】本発明の連結組立式封緘具の表示部材を使用した組合せ例を示した概略図である。
【図８】本発明の連結組立式封緘具の表示部材を使用した際の商品への装着図である。
【図９】本発明の連結組立式封緘具の表示部材を使用した際の部品図である。
【図１０】本発明の連結組立式封緘具の表示部材における連結部の構造を示した拡大図である。
【図１１】本発明の連結組立式封緘具の連結部における構造の１例を示した概略図である。
【図１２】本発明の連結組立式封緘具の連結部における構造の１例を示した概略図である。
【図１３】従来例の表示封緘具の分解図及び組立て図である。
【図１４】安全ピン型係止部材を示した概略図である。
【図１５】安全ピン型係止部材の拡大断面図である。
【図１６】安全ピン型係止部材の左側面図、右側面図、底面図である。
【図１７】安全ピン型係止部材の使用状態を示した概略図である。
【図１８】安全ピン型係止部材の長手方向の断面図である。
【図１９】本発明の連結組立式封緘具を使用した際の商品への装着図である。
【符号の説明】
【００４９】
１     安全ピン型係止部材
２     糸型吊下げ部材
３     鍵型係止部材
４     挟持部糸型吊下げ部材
５     挟持部チェーン型吊下げ部材
６     表示部材
９     表示型封緘具
１１   第１連結部
２１   第２連結部
２４   糸状物
２７   商品表示札
３１   糸型係止部材
３２   チェーン型係止部材
３３   ボールチェーン型係止部材
３４   ボールチェーン
４１   挟持部材
【図１】
2009139737.tif 000003
【図２】
2009139737.tif 000004
【図３】
2009139737.tif 000005
【図４】
2009139737.tif 000006
【図５】
2009139737.tif 000007
【図６】
2009139737.tif 000008
【図７】
2009139737.tif 000009
【図８】
2009139737.tif 000010
【図９】
2009139737.tif 000011
【図１０】
2009139737.tif 000012
【図１１】
2009139737.tif 000013
【図１２】
2009139737.tif 000014
【図１３】
2009139737.tif 000015
【図１４】
2009139737.tif 000016
【図１５】
2009139737.tif 000017
【図１６】
2009139737.tif 000018
【図１７】
2009139737.tif 000019
【図１８】
2009139737.tif 000020
【図１９】
2009139737.tif 000021